(57)【要約】【課題】構造が簡単でかつ土壌等流出防止機能を確保し植物の良好な生育を維持する栽培用具を提供する。【解決手段】正面部と裏面部とを備え開閉可能な開口を有する袋状の栽培用具において、上記正面部を構成するシート材で形成された表正面部と裏正面部とは表裏方向に重ね合わされたものであり、上記表正面部と上記裏正面部とには各々表裏方向に貫通した切れ込みが設けられており、上記表正面部の切れ込みと上記裏正面部の切れ込みとが正面視において交差する関係にある栽培用具を提供する。【選択図】図１
0003157340.tif 000002
【実用新案登録請求の範囲】
【請求項１】
正面部と裏面部とを備え開閉可能な開口を有する袋状の栽培用具において、
上記正面部を構成するシート材で形成された表正面部と裏正面部とは表裏方向に重ね合わされたものであり、
上記表正面部と上記裏正面部とには各々表裏方向に貫通した切れ込みが設けられており、上記表正面部の切れ込みと上記裏正面部の切れ込みとが正面視において交差する関係にあることを特徴とする栽培用具。
【請求項２】
上記正面部並びに裏面部がシート材で形成され、前記シート材を製袋してなる請求項１記載の栽培用具。
【請求項３】
上記裏面部に蓋部を備え、上記栽培用具の開口を閉じて使用することを特徴とする請求項１並びに請求項２記載の栽培用具。
【請求項４】
土壌材を収納する土壌材収納部を備え、土壌材収納部の正面部で植物を栽培する栽培用具において、
上記正面部の少なくとも一部が表正面部と裏正面部と少なくとも２枚のシート材を備え、
上記表正面部と上記裏正面部とには各々表裏方向に貫通した切れ込みが設けられており、上記表正面部の切れ込みと上記裏正面部の切れ込みとが正面視において交差する関係にあることを特徴とする栽培用具。
【考案の詳細な説明】
【技術分野】
【０００１】
本願考案は、植物を栽培するのに用いる栽培用具に関するものである。
【背景技術】
【０００２】
従来から、植物苗を育てる育苗用具として、合成樹脂製の育苗ポットが汎用されている。（例えば、特許文献１参照）また、苗木の植栽用具としては、急傾斜のり面での利用に特化した植栽用土のうが提案されている。（特許文献２参照）
【先行技術文献】
【特許文献】
【０００３】
【特許文献１】特開２００２−１９１２３６号公報
【特許文献２】特開２００１−２７９６７４号公報
【考案の概要】
【考案が解決しようとする課題】
【０００４】
上記合成樹脂製の育苗ポットは、構造が簡単で大量生産できかつ丈夫でリユースできるという利点があるものの、鉢体形状をなし上方が開口している形状から開口から育苗ポットに収納されている土壌等が少なからず流出し植物苗の生育に影響を及ぼす場合があり、また、通常底面が平らである形状から斜面での使用ができない等設置場所に制限があるという問題があった。
【０００５】
一方、上記植栽用土のうは、急傾斜のり面での植栽を可能とすべく、布材やシート材等を用いて袋状物とし急傾斜のり面との設置面を確保するとともに、植栽用土のうに収容されている土壌等の流出を防止する機能や周囲から飛散してくる雑草種子の植栽用土のうへの侵入・繁茂による植物苗の生育阻害を防止するための機能（以下、マルチング機能という）が備わっているという利点があるものの、急傾斜のり面での利用に特化しているため、例えば、植付開口を形成する開閉部を別布で二重（もしくは三重）構造とし開閉部をハトメ部材やしばりひもを用いて引き絞る等の土壌等流出防止機能並びにマルチング機能の効果を発揮するための土のうの構造が複雑であり、また植栽時に苗木を植栽するための切り込みを設けしばりひもを引き絞る作業が発生し手間がかかるという問題があった。
【０００６】
本願考案はこのことに鑑み、構造が簡単でかつ土壌等流出防止機能を確保し植物の良好な生育を維持する栽培用具を提供することを課題とする。より望ましくは、設置場所を問わず、マルチング機能を備えた栽培用具の提供を図らんとするものである。
【課題を解決するための手段】
【０００７】
上記課題を解決するために、本願の請求項１に記載の考案は、正面部と裏面部とを備え開閉可能な開口を有する袋状の栽培用具において、上記正面部を構成するシート材で形成された表正面部と裏正面部とは表裏方向に重ね合わされたものであり、上記表正面部と上記裏正面部とには各々表裏方向に貫通した切れ込みが設けられており、上記表正面部の切れ込みと上記裏正面部の切れ込みとが正面視において交差する関係にあることを特徴とする栽培用具を提供する。
【０００８】
また、本願の請求項２に記載の考案は、上記正面部並びに裏面部がシート材で形成され、前記シート材を製袋してなる請求項１記載の栽培用具を提供する。
【０００９】
また、本願の請求項３に記載の考案は、上記裏面部に蓋部を備え、上記栽培用具の開口を閉じて使用することを特徴とする請求項１並びに請求項２記載の栽培用具を提供する。
【００１０】
また、本願の請求項４に記載の考案は、土壌材を収納する土壌材収納部を備え、土壌材収納部の正面部で植物を栽培する栽培用具において、上記正面部の少なくとも一部が表正面部と裏正面部と少なくとも２枚のシート材を備え、上記表正面部と上記裏正面部とには各々表裏方向に貫通した切れ込みが設けられており、上記表正面部の切れ込みと上記裏正面部の切れ込みとが正面視において交差する関係にあることを特徴とする栽培用具を提供する。
【考案の効果】
【００１１】
本願の請求項１の考案では、栽培用具において、表正面部と裏正面部を表裏方向に重ね合わせ表正面部と裏正面部に設けられた表裏方向に貫通した切れ込みを正面視において交差させる簡単な構造により、土壌等流出防止機能を確保し植物の良好な生育を維持する栽培用具を提供するができたものである。
本願の請求項２の考案では、請求項１の考案の効果に加え、シート材を製袋することにより、構造全体が簡単な栽培用具を提供することができたものである。
本願の請求項３の考案では、上記請求項１及び２の考案の効果に加え、裏面部に蓋部を設けることにより栽培用具に培養土等の土壌材を収納しやすいだけではなく開口を蓋部で完全に覆うことができることから、土壌等流出防止機能をさらに強化できたものである。
本願の請求項４の考案では、土壌材収納部の正面部の少なくとも一部を表正面部と裏正面部と少なくとも２枚のシート材とし、表正面部と裏正面部を表裏方向に重ね合わせ表正面部と裏正面部に設けられた表裏方向に貫通した切れ込みを正面視において交差させる簡単な構造により、土壌等流出防止機能を確保し植物の良好な生育を維持する様々な形態の栽培用具を提供することができたものである。
【図面の簡単な説明】
【００１２】
【図１】本願考案に係る栽培用具の全体を示す正面図である。
【図２】栽培用具の展開図である。
【図３】栽培用具の展開図を折った概略折り図である。
【図４】植物栽培中の栽培用具の部分正面拡大図である。
【図５】他の実施例における栽培用具の全体を示す正面図である。
【図６】他の実施例における栽培用具の部品正面図である。
【考案を実施するための形態】
【００１３】
以下、図面に基づき本願考案の実施の形態の一例をとりあげて説明する。なお、本願の各請求項並びに明細書における上下前後左右表裏の表現は、相対的な位置関係を示すにとどまり、絶対的な位置を特定するものではない。
【００１４】
（栽培用具の構成）
この実施の形態に係る本願考案の栽培用具１は、図１に示すように、栽培用具１の前面に位置する正面部１１と後面に位置する裏面部１６からなる袋状物であり、この正面部１１と裏面部１６との間の空間が土壌材収納部となる。この袋状物は複数枚のシート材で形成できるが、この例では、図２に示すように、１枚の帯状のシート材（この例では布材）から形成される。
【００１５】
（正面部の構成・切れ込み）
正面部１１は、図２、図３に示すように、前面に位置する矩形の表正面部１２と後面に位置する矩形の裏正面部１４が表裏方向に重ね合わされたものから構成される。両者は、別々のシート材から形成され得るが、この例では、折り目線３１（以下、正面折り目線３１という）を介して連設されている。そして、図２に示すように、表正面部１２には表裏方向に貫通した上下に伸びる表正面部切れ込み１３が左右方向に３本、裏正面部１４には表裏方向に貫通した左右に伸びる裏正面部切れ込み１５が上下方向に３本、各々等間隔に設けられている。
【００１６】
（裏面部の構成）
前記裏面部１６は、図２、図３に示すように、正面部１１の後面に位置する矩形の背面部１７と、背面部１７の上方に位置する矩形の蓋部１８から形成される。これらの各部１７、１８も別々のシート材から形成され得るが、この例では、展開状態において、背面部１７は、折り目線３２（以下、底折り目線３２という）の上方に連設されており、この背面部１７の上方に、折り目線３３（以下、蓋折り目線３３という）を介して、蓋部１８が連設されている。
【００１７】
（製袋方法・切れ込みの交差）
この帯状のシート材は、各折り目線３１、３２、３３をそれぞれ折り、上記正面部１１と裏面部１６とを重ね合わせ、左右の側部１９と底部の端部２０を縫合し製袋する。図２に縫合線３４を示す。詳しくは、図２に示すように、正面折り目線３１を矢印のように谷折りに折り曲げ、表正面部１２と裏正面部１４とを重ね合わせる。この状態で、表正面部１２に設けられた表正面部切れ込み１３と裏正面部１４に設けられた裏正面部切れ込み１５は正面視において略直角に交差している。次に、前記正面部１１と裏面部１６を底折り目線３２で矢印のように山折りに折り曲げ、上記正面部１１と裏面部１６とを重ね合わせ、左右の側部１９と底部の端部２０を縫合し製袋する。製袋された栽培用具１は、図３に示すように正面部１１と裏面部１６との間に開口４１を有しており、蓋部１８を蓋折り目線３３で正面部１１側に折り返し、開口４１を閉じる。本例では縫合された縫い代２１を内側に設け、全体を折り返している。
【００１８】
（栽培方法）
本願考案の栽培用具１は、図３に示すように、開口４１から培養土等の土壌材を収納し、表正面部１２と裏正面部１４を表裏方向に重ね合わせることにより表正面部１２と裏正面部１４に設けられた表裏方向に貫通した表正面部切れ込み１３と裏正面部切れ込み１５とが交差する箇所、つまり図４に示すような前記切れ込みの交点５１に播種もしくは植物の苗を植え付け、植物６１を栽培する。土壌材は培養土のほか、綿や吸水性ポリマー等植物を栽培するための基盤材を収納することができる。
【００１９】
（開口の開閉）
開口４１を開閉する蓋部１８の開閉方法は特に限らず、植物の栽培期間中に開口４１から土壌材が流出しない方法であればよい。例えば、面ファスナーや止めボタン等の留め具による開閉方法のほか、縫合や圧着により土壌材収納後に開口４１を塞ぐ方法等が挙げられる。
【００２０】
（帯状シート材のメリット）
本願考案の栽培用具１は、図３に示すように、１枚の帯状のシート材を折り重ねて縫合し全体を折り返すだけで成形することができるため、栽培用具の構造及び成形方法が簡単である。また、シート材を袋状にして用いることで、植物（特に植物の根）の保温機能、土壌材の保湿機能、周囲から飛散してくる雑草の種子をシート材の表面で受け止めることにより栽培用具内への侵入を防ぎ雑草の繁茂を抑制するマルチング機能を発揮することができるほかに、袋状物という形状から場所を問わず設置することができる。加えて、本例では１枚の帯状のシート材を折り重ねて縫合していることから、折り重ねられた部分にも空気が含まれ保温機能がさらに高まる。その他、シート材を用いることで、表正面部切れ込み１３及び裏正面部切れ込み１５が設けやすい。
【００２１】
（シート材の材質）
本願考案の栽培用具１を製袋するシート材としては、ポリアミド系、ポリエステル系、ポリオレフィン系、ポリ塩化ビニル系等の各種合成繊維や、綿、ヤシ繊維、ジュート等の天然繊維からなる織編布、不織布、樹脂製シート、紙製シート等を用いることができる。生分解性繊維を用いた場合には、畑や鉢等への植え替え時に植物を栽培用具から外すことなく栽培用具ごと土壌に埋めることができるため、植え替え時に植物（特に植物の根）に与える影響を最小限に抑えることができる。また、土壌材が必要以上に流出しないものであれば、網状のシート材を用いることもできる。
【００２２】
（シート材の物性条件）
上記シート材に求められる物性としては、土壌材を収納し植物を栽培するための一定強度及び透水性、通気性が挙げられる。また、通常の屋外での使用やリユースも考えれば、耐候性や耐久性が必要である。樹脂製シート等の透水性を備えないシート材を用いた場合には、排水用の小孔を設けることが望ましい。より望ましくは、前記小孔を裏面部１６に設けるとよい。上記小孔は、栽培用具１に収納する土壌材が必要以上に流出しない程度の大きさとする。また、上記シート材は、表正面部１２と裏正面部１４を表裏方向に重ね合わせることにより表正面部１２と裏正面部１４に設けられた表裏方向に貫通した表正面部切れ込み１３と裏正面部切れ込み１５との交点５１から植物を栽培するのを必要以上に妨げない適度な柔軟性を備えたものであることが望ましいが、この交点部分となる位置に他の位置よりも大きな孔を設けた場合には、柔軟性を持つ必要はない。上記シート材の物性を満たす素材として、学生服のはぎれやリサイクル品の利用も可能である。特に、学校教育においては、学生服のはぎれやリサイクル品でこの栽培用具１を制作することによって、緑化の意義のみならず、資源の有効活用の重要性や、二酸化炭素排出削減の必要性と、これに対する国民一人一人の活動の重要性を児童生徒に教えることができる。
【００２３】
（シート材の処理）
上記シート材には、必要に応じて各種処理を施してもよい。例えば、着色処理により上記シート材を濃色に着色すると、熱吸収が良くなり保温性が高められる。また、上記シート材に肥料や殺菌成分等の薬剤を含浸させることも可能である。
【００２４】
（縫合糸・縫合以外の製袋方法）
上記シート材を縫合する糸としては、各種の材質、太さの糸を用いることができる。その中には、生分解性繊維製の糸も含まれているものとする。縫合された縫い代２１は、本例では内側に設け全体を折り返しているが、表側に露出させてもよい。また、製袋方法としては、縫合による製袋のほかに熱圧着や接着等により製袋してもよい。
【００２５】
（切れ込みの交点）
図３に示すように、表正面部１２と裏正面部１４を表裏方向に重ね合わせることにより、表正面部１２と裏正面部１４に設けられた表裏方向に貫通した表正面部切れ込み１３と裏正面部切れ込み１５とを正面視において略直角に交差させると、前記切れ込みの交点５１が９個できる。前記交点５１に播種もしくは植物の苗を植え付け、植物６１を栽培する。よって、上記切れ込みが交差する形状は簡単な構造により設けることができる。また、特許文献２と比較して、植栽時に苗木を植栽するための切り込みを設ける手間が省ける。
【００２６】
（切れ込み・交差を設けるメリット１）
表正面部１２と裏正面部１４を表裏方向に重ね合わせることにより表正面部１２と裏正面部１４に設けられた表裏方向に貫通した表正面部切れ込み１３と裏正面部切れ込み１５とが正面視において交差することのメリットとしては、まず、特許文献２の図３のような植栽用に設けられた十字状の切り込みと比較して、上記切れ込みが交差する形状による土壌等流出防止機能の強化が挙げられる。上記十字状の切り込みでは、特許文献２の図７のように、土壌材の流出防止のためにハトメ部材やしばりひも等を用いて十字状の切り込みか所を引き縛る必要があるが、本願考案の栽培用具おいては不要である。
【００２７】
（切れ込み・交差を設けるメリット２）
また、上記切れ込みが交差する形状により上記十字状の切り込みと比較して、上記切れ込みの隙間から雑草等が紛れ込むことを防止でき、マルチング機能も確保できる。
【００２８】
（切れ込み・交差を設けるメリット３）
さらに、表正面部１２と裏正面部１４が表裏方向に重ね合わされたシート材であることから、表正面部１２を手前側に引っ張ると裏正面部１４に設けられた３本の裏正面部切れ込み１５の露出部分が大きくなり、播種や植物６１の植え付け、畑や鉢等への植物の植え替え作業が楽に行える。
【００２９】
（切れ込み・交差の間隔）
表正面部切れ込み１３並びに裏正面部切れ込み１５の間隔については、表正面部１２と裏正面部１４を表裏方向に重ね合わせることにより表正面部１２並びに裏正面部１４に設けられた表裏方向に貫通した前記表正面部切れ込み１３と裏正面部切れ込み１５とを正面視において交差させる際にできる交点５１と交点５１との間の距離が、植物の生育、特に植物の根の生育を阻害しない距離に設定する必要がある。また、すべての交点５１を植物の栽培に利用するのではなく、適宜交点５１の間隔をあけて利用する等の対応も必要である。
【００３０】
（他の実施例１）
本願考案の実施例では、表正面部１２と裏正面部１４を表裏方向に重ね合わせることにより表正面部１２と裏正面部１４に設けられた表裏方向に貫通した表正面部切れ込み１３と裏正面部切れ込み１５とを正面視において略直角に交差させたが、図５に示すように表正面部１２と裏正面部１４を表裏方向に重ね合わせることにより表正面部１２と裏正面部１４に設けられた表裏方向に貫通した表正面部切れ込み１３と裏正面部切れ込み１５とが正面視において交差しさえすればよい。
【００３１】
（他の実施例２）
また、本願考案の実施例では、表正面部１２に表裏方向に貫通した上下に伸びる３本の表正面部切れ込み１３を左右方向に、裏正面部１４に表裏方向に貫通した左右に伸びる３本の裏正面部切れ込み１５を上下方向にそれぞれ設け、表正面部１２と裏正面部１４を表裏方向に重ね合わせることにより前記切れ込みを正面視において略直角に交差させ９個の交点５１を設けたが、播種もしくは植物の苗を植え付け植物６１を栽培するには、表正面部１２と裏正面部１４の上記切れ込みが少なくとも１本ずつ、つまり交点５１が少なくとも１つ以上あればよい。よって、交点５１の個数に応じて栽培用具自体を大きく、または小さくすることが可能である。
【００３２】
（他の実施例３）
本願考案の栽培用具１は、図２に示すように、１枚の帯状のシート材である布材の左右の側部１９と底部の端部２０を縫合し袋状となっているが、図６に示すように、１枚の帯状のシートを裏面部１６、表正面部１２、裏正面部１４と３部品に分けることもできる。また、裏面部１６と正面部１１（表正面部１２及び裏正面部１４）の２部品に分けることも可能である。その際、２部品、３部品ともに同じ素材を用いてもよいし、別々の素材を用いてもよい。また、裏面部１６は背面部１７と蓋部１８より形成されるが、背面部１７だけでもよい。その他、袋の形状は本願考案の趣旨を逸脱しない範囲で適宜変更することができ、例えば、正面形状を４角形以外の多角形や、自由な不定形などにしてもよく、襠を設けたガセット袋であってもよい。さらに、土壌材を収納する土壌材収納部を、合成樹脂や陶器や木などの剛性の高い素材で形成し、正面（上面を含む）にのみ、切れ込みを備えた２枚のシート材を配位するものであってもよい。また正面全体をシート材で形成する必要はなく、正面の周囲を剛性の高い素材で形成し、その中央のみに上記２枚のシート材を配置してもよい。
【００３３】
（実施の形態の効果）
これら実施の形態の栽培用具１は、表正面部１２と裏正面部１４を表裏方向に重ね合わせることにより表正面部１２と裏正面部１４に設けられた表裏方向に貫通した表正面部切れ込み１３と裏正面部切れ込み１５とを正面視において交差させること、シート材を製袋して使用すること及び裏面部１６に蓋部１８を設け開口４１を蓋部１８で完全に覆うことにより、栽培用具の構造を簡単にするとともに植物の良好な生育を維持するための土壌等流出防止機能を確保し、また、設置場所を問わず、マルチング機能を備えた栽培用具を提供することができた。
【００３４】
（使用法）
本願考案の栽培用具は、農業用、園芸用、造林用等として、合成樹脂製の育苗ポットのように平坦な地面に設置して、また、植栽用土のうのように急傾斜のり面に設置して植物を栽培するのに使用することができる。また、袋状の形状を利用して屋上や壁面等に取り付けて使用することも可能である。よって、環境対策として建物屋上や建物外壁に植物を生育させることにより、建物の断熱性の向上、ヒートアイランド現象の軽減や景観向上を目的とする屋上緑化や「緑のカーテン」とも言われる壁面緑化等に応用することも可能である。そして、前述したように、学生服のはぎれやリサイクル品を用いることで、二酸化炭素排出削減の必要性とその解決のための努力を児童生徒に体験させるものとして、極めて有効な教材となり得るものである。
【符号の説明】
【００３５】
１    栽培用具
１１  正面部
１２  正面部
１３  表正面部切れ込み
１４  裏正面部
１５  裏正面部切れ込み
１６  裏面部
１７  背面部
１８  蓋部
４１  開口
５１  交点
６１  植物
【図１】
0003157340.tif 000003
【図２】
0003157340.tif 000004
【図３】
0003157340.tif 000005
【図４】
0003157340.tif 000006
【図５】
0003157340.tif 000007
【図６】
0003157340.tif 000008